(57)【要約】      （修正有）【課題】使用者の踏み板の押圧作動過程で、旋回式の昇降動作が行え、乗り方によってはボードやサーフィンの平衡運動に類似した運動が実行できる身体トレーニング機器を提供する。【解決手段】身体トレーニング機器１０はベース１中央部に旋回可能な連結フレーム２を枢設してなり、連結フレーム２は底板の前，後端部をそれぞれ上部に屈曲形成すると共に、前記前，後端部間には左右方向に伸び、かつ遊端部を上方に向けて傾斜させた一対の揺動アーム３が配設され、各揺動アーム３の対向端部は上下方向に揺動可能に枢着されており、前記各揺動アーム３の上方部には、踏み板６が固着されると共に、下方部には、それぞれ一端が揺動アーム３に固定された傾斜板１１に案内される回転体５を備えてなり、使用者の踏み板の押圧作動過程で、旋回式の昇降動作が行なわれるように構成した。【選択図】図１
0003129953.tif 000002
【実用新案登録請求の範囲】
【請求項１】
身体トレーニング機器であって、前記機器はベース中央部に旋回可能な連結フレームを枢設してなり、前記連結フレームは底板の前，後端部をそれぞれ上部に屈曲形成すると共に、前記前，後端部間には、左右方向に伸び且つ遊端部を上方に向けて傾斜させた一対の揺動アームが配設され、前記各揺動アームの対向端部は上下方向に揺動可能に枢着されており、前記各揺動アームの上方部には、踏み板が固着されると共に、下方部には、それぞれ一端が揺動アームに固定された傾斜板に案内される回転体を備えてなり、使用者の踏み板の押圧作動過程で、旋回式の昇降動作が行なわれるようにしたことを特徴とする身体トレーニング機器。
【請求項２】
前記一対の各揺動アームには一端部が前記連結フレームに固定され、且つ他端部が伸縮自在な支持部材により枢設され、前記揺動アーム動作の安定性を増進することを特徴とする請求項１に記載の身体トレーニング機器。
【請求項３】
前記伸縮自在な支持部材は、気圧，油圧シリンダにより構成され、前記揺動アームの昇降動作の駆動力の調整を可能としたことを特徴とする請求項１に記載の身体トレーニング機器。
【考案の詳細な説明】
【技術分野】
【０００１】
本考案は身体トレーニング機器に関し、特に、ベース中央に旋回可能に枢着した連結フレームを設け、該連結フレームに配設した各遊端部が上方に傾斜して伸び、且つ上下に揺動する一対の揺動アームを設置すると共に、該揺動アームの上方には踏み板を固着し、更に揺動アームの下方にはそれぞれ伸縮自在な支持部材と、それぞれ一端が前記各揺動アーム３に固定された傾斜板に案内される回転体とを備えた構成とし、前記踏み板を上下方向に踏み込み昇降することで、前記揺動アームの下方に配設した傾斜板に案内される回転体の移動に追随して連結フレームが旋回運動をして揺動工程中に身体を僅かに左右方向へ旋回させる旋回力が生成され、運動効果を得られるようにしたものである。
【背景技術】
【０００２】
身体トレーニング機器の種類はその用途・効能の設計により様々な種類のものがある。そして、小型化され携帯に便利であることが求められていて、数多くのステッパー（足踏み式運動機器）が開発され、市販されている。また、ステッパーは収容に便利な特徴があり、設置空間が小さい。
【考案の開示】
【考案が解決しようとする課題】
【０００３】
従来の一般のステッパーの構造は、単純に上下運動のステップ式運動しか行えず、購入後、一定時間使用すると興味が失せてしまうし、ステッパーの使用方法があまりにも単純であるので、毎日同じ運動方法の繰り返しになるために飽きが来てしまい、変化を求めて他のトレーニング機器を買うとなれば、経済上負担であるという問題点がある。
【０００４】
本考案は、従来の問題点を改善し、使用者の踏み板の押圧作動過程で、旋回式の昇降動作が行なわれるようにした身体トレーニング機器を提供することを目的とする。
【０００５】
また、使用者は、顔正面を左右方向の前記揺動アーム方向に向けて両足をＴ字状を呈するように踏み板に載った時には、ボードやサーフィンの平衡運動に類似した運動が実行でき、使用者は随時使用方式を変化させて、運動の持続性を達成し得るようにした身体トレーニング機器を提供することを目的とする。
【課題を解決するための手段】
【０００６】
本考案の請求項１に記載の考案は、身体トレーニング機器であって、前記機器はベース中央部に旋回可能な連結フレームを枢設してなり、前記連結フレームは底板の前，後端部をそれぞれ上部に屈曲形成すると共に、前記前，後端部間には、左右方向に伸び且つ遊端部を上方に向けて傾斜させた一対の揺動アームが配設され、前記各揺動アームの対向端部は上下方向に揺動可能に枢着されており、前記各揺動アームの上方部には、踏み板が固着されると共に、下方部には、それぞれ一端が揺動アームに固定された傾斜板に案内される回転体を備えてなり、使用者の踏み板の押圧作動過程で、旋回式の昇降動作が行なわれるようにしたことを特徴とする。
【０００７】
請求項２の考案は、請求項１に記載の身体トレーニング機器において、前記一対の各揺動アームには一端部が前記連結フレームに固定され、且つ他端部が伸縮自在な支持部材により枢設され、前記揺動アーム動作の安定性を増進することを特徴とする。
【０００８】
請求項３の考案は、請求項１に記載の身体トレーニング機器において、前記伸縮自在な支持部材は、気圧、油圧シリンダにより構成され、前記揺動アームの昇降動作の駆動力の調整を可能としたことを特徴とする。
【考案の効果】
【０００９】
上記構成の本考案の身体トレーニング機器によれば、一端部が連結フレームに枢支された左右一対の揺動アームは、該揺動アームの遊端部がそれぞれ上方に傾斜した状態に配設され、前記揺動アーム上方に中央部が低くなるように湾曲して踏み板を配設し、且つ前記揺動アームの下方に傾斜板に案内される回転体を備えた構成としたので、踏み板を上下方向に揺動することで、揺動工程中に僅かに左右方向への旋回力が生成される。
【００１０】
従って、使用者は身体の正面を前後方向に向け、身体の左右を前記揺動アームと平行にした状態で、両足を踏み板上面にのせて体重をかけ、前記踏み板を上下に揺動させることで前記揺動アームが旋回し、身体の腰をひねり運動効果が達成でき、公知のステッパーが達成できなかった腹部のひねり運動も提供することができる。
【００１１】
また、使用者は、顔正面を左右方向の前記揺動アーム方向に向けて両足をＴ字状を呈するように踏み板に載った時には、ボードやサーフィンの平衡運動に類似した運動が実行でき、使用者は随時使用方式を変化させて、運動の持続性を達成し得る。
【考案を実施するための最良の形態】
【００１２】
以下、本考案の身体トレーニング機器を実施するための最良の形態について、図面と共に実施例を説明する。
【実施例】
【００１３】
図１は、本考案の身体トレーニング機器の実施例を示す踏み板部分を仮想線で示した全体斜視図である。
【００１４】
図中、１０は身体トレーニング機器であって、平面ほぼＨ形状のベース１と、ベース１の中央部に底板の枢支部を介して前記ベース１に対し旋回可能に設置されると共に、前記底板の前，後端部をそれぞれ上部に屈曲形成した縦コ字状の連結フレーム２と、前記連結フレーム２の前，後端部間には左右方向に伸び、かつ遊端部を上方に向けて傾斜させた一対の揺動アーム３と、前記揺動アーム３の下方側に設けられ、前記揺動アームを傾斜状態に保持する弾性機構、気圧，油圧シリンダなどにより構成された一対の伸縮自在な支持部材４と、前記各揺動アーム３の左右両側下方に配設され、それぞれ一端が前記各揺動アーム３に固定された傾斜板１１に案内される回転体５とを備え、前記揺動アーム３の遊端部３ａがそれぞれ上方に傾斜した状態に配設され、前記揺動アーム３上方に中央部が低くなるように湾曲した形状の踏み板６を固定したものである。
【００１５】
したがって、前記踏み板６を上下方向に踏み込み昇降することで、前記揺動アーム３の下方に配設した傾斜板１１に案内される回転体５の移動に追随して連結フレーム２が旋回運動をして揺動工程中に身体を僅かに左右方向へ旋回させる旋回力が生成される。
【００１６】
上述のような本考案の構成によれば、前記踏み板６を上下方向に踏み込み昇降することで、前記揺動アーム３の下方に配設した傾斜板１１に案内される回転体５の移動に追随して連結フレーム２が旋回運動をして揺動工程中に身体を僅かに左右方向へ旋回させる旋回力が生成される（図３参照）。
【００１７】
従って、使用者は身体の正面を前後方向に向け、身体の左右を前記揺動アーム３と平行にした状態で、両足を踏み板６上面にのせて体重をかけ、前記踏み板６を上下に揺動させることで前記揺動アーム３が旋回し、身体の腰をひねり運動効果が達成でき、公知のステッパーが達成できなかった腹部のひねり運動も提供することができる。
【００１８】
また、使用者は、顔正面を左右方向の前記揺動アーム３方向に向けて両足をＴ字状を呈するように踏み板に載った時には、ボードやサーフィンの平衡運動に類似した運動が実行でき、使用者は随時使用方式を変化させて、運動の持続性を達成し得る。
【００１９】
また、前記実施例においては、揺動アーム３の左右方向の傾斜を維持する伸縮自在な支持部材４は、伸縮自在棒をバネなどの弾性機構を用いたもの、気圧，油圧シリンダ等を用いたものなどにより構成することが可能であるが、前記揺動アーム３の昇降動作の駆動力の調整を可能とするにはシリンダ機構を用いることが好ましい。
【００２０】
本考案では好ましい実施例を前述の通り開示したが、これらは決して本考案に限定するものではなく、当該技術を熟知する者なら誰でも、本考案の精神と領域を脱しない範囲内で各種の変動や修正を加えることができ、従って本考案明の保護範囲は、実用新案登録請求の範囲で指定した内容を基準とする。
【図面の簡単な説明】
【００２１】
【図１】本考案の身体トレーニング機器の実施例を示す踏み板部分を仮想線で示した全体斜視図である。
【図２】本考案の身体トレーニング機器の実施例を示す組み立てた状態の全体斜視図である。
【図３】本考案の身体トレーニング機器の実施例を示す正面図である。
【図４】本考案の身体トレーニング機器の実施例を示す使用状態を示した全体斜視図である。
【符号の説明】
【００２２】
１    ベース
１１  傾斜板
２    連結フレーム
３    揺動アーム
４    伸縮自在な支持部材
５    回転体
６    踏み板
１０  身体トレーニング機器
【図１】
0003129953.tif 000003
【図２】
0003129953.tif 000004
【図３】
0003129953.tif 000005
【図４】
0003129953.tif 000006